(57)【要約】【課題】運行する自動車に対して適切な保険契約を行うことができるようにする。【解決手段】車載機３は、少なくともＩＣカード３５０からデータを読み出すＩＣカード・リーダライタ３３と、自動車の保険契約データと自動車の情報とを格納する車載機ＨＤＤ３１と、ＩＣカード・リーダライタ３３によりＩＣカード３５０から読み出された保険契約データと車載機ＨＤＤ３１に格納された保険契約データとを用いて保険加入状態を特定する状態特定手段と、保険加入状態が予め定められた状態であることと判断された場合には、表示装置に検出された状態についての情報を表示装置に表示する表示手段とを有する。このようにすることにより、運転者は自動車の運行上適切な保険加入状況にあるか確認することができるようになる。【選択図】　図１
2004038278.tif 000002
【特許請求の範囲】
【請求項１】
他人の自動車を運転する場合、ユーザの記録媒体に格納されたデータと記憶装置に格納された保険契約データとを用いて実際に適用される補償内容を特定し、前記ユーザに提示するステップと、
前記ユーザから保険加入が指示された場合、補償期間を含む保険内容を指定するための保険加入要求を保険会社のコンピュータに送信するステップと、
前記保険会社のコンピュータから保険契約データを受信した場合、前記ユーザの記録媒体及び前記記憶装置に、受信した前記保険契約データのうち少なくとも一部を記録するステップと、
を含む情報処理方法。
【請求項２】
前記ユーザの記録媒体に格納されたデータと前記記憶装置に格納されたデータとに基づき前記ユーザが前記記憶装置に未登録であると判断された場合、他人の自動車の運転と自動車の入替又は買増とのうち少なくともいずれかを選択するよう前記ユーザに促すステップ、
をさらに含む請求項１記載の情報処理方法。
【請求項３】
前記保険内容に、前記記憶装置に格納された自動車の情報を含むことを特徴とする請求項１記載の情報処理方法。
【請求項４】
前記実際に適用される補償内容又は前記保険内容が、自動車保険の情報と、前記ユーザの生命保険の情報と傷害保険の情報とのうち少なくともいずれかとを含む
ことを特徴とする請求項１記載の情報処理方法。
【請求項５】
前記ユーザの記録媒体に格納された保険契約データと前記記憶装置に格納された保険契約データとに不整合が存在している場合、他人の自動車の運転と自動車の入替又は買増との少なくともいずれかを選択するよう前記ユーザに促すステップ、
をさらに含む請求項１記載の情報処理方法。
【請求項６】
ユーザにより前記自動車の入替又は買増が指示された場合、前記ユーザの記録媒体に格納された保険契約データと前記記憶装置に格納された自動車の情報とを含む異動情報を前記保険会社のコンピュータに送信するステップと、
前記保険会社のコンピュータから保険料の差額についての情報を受信した場合、表示装置に表示するステップと、
をさらに含む請求項２又は５記載の情報処理方法。
【請求項７】
前記記憶装置に格納された自動車の情報を含む前記自動車の入替又は買増についての情報を、所定の登録用コンピュータに送信するステップ
をさらに含む請求項６記載の情報処理方法。
【請求項８】
前記ユーザ以外のユーザの記録媒体に、受信した前記保険契約データのうち少なくとも一部を記録するステップ
をさらに含む請求項１記載の情報処理方法。
【請求項９】
前記ユーザ以外の他のユーザの、前記記憶装置への登録要求を受け付けた場合、当該他のユーザの記録媒体に格納されたデータと前記記憶装置に格納された保険契約データとを用いて当該保険契約における当該他のユーザの登録の是非について判断するステップ
をさらに含む請求項１記載の情報処理方法。
【請求項１０】
少なくともメモリカードからデータを読み出すメモリカード・インターフェース手段と、
自動車の保険契約データを格納する記憶装置と、
前記メモリカード・インターフェース手段によりメモリカードから読み出されたデータと前記記憶装置に格納された前記自動車の保険契約データとを用いて保険加入状態を特定する状態特定手段と、
前記保険加入状態が予め定められた状態であると判断された場合には、特定された状態についての情報を表示装置に表示する表示手段と、
を有する車載装置。
【請求項１１】
前記表示手段が、
前記保険加入状態が補償無しの状態であると判断された場合、前記ＩＣカードに格納された保険契約データと前記記憶装置に格納されている自動車の情報とのうち少なくともいずれかを前記表示装置に表示する
ことを特徴とする請求項１０記載の車載装置。
【請求項１２】
前記状態特定手段が、
前記メモリカードに格納されたデータと前記記憶装置に格納されたデータとのうち少なくともいずれかのデータに基づき、期限の到来又は期限の経過を検出する
ことを特徴とする請求項１０記載の車載装置。
【請求項１３】
前記メモリカードに格納されたデータと前記記憶装置に格納されたデータとのうち少なくともいずれかのデータに基づき法令違反を検出した場合、自動車の運行を禁止するための制御を実施する手段
をさらに有する請求項１０記載の車載装置。
【請求項１４】
期限の到来と期限の経過と法令違反と所定の保険加入状態とのうち少なくともいずれかに対する前記ユーザからの手続き指示に応じて、当該手続きに関連するコンピュータに所定の情報を送信する手段
をさらに有する請求項１０乃至１３のいずれか１つ記載の車載装置。
【請求項１５】
前記状態特定手段が、
前記メモリカードに格納されたデータと前記記憶装置に格納されたデータとのうち少なくともいずれかのデータに基づき自動車の新規購入を検出し、
前記表示手段が、
前記自動車の新規購入が検出された場合、保険加入と行政手続きとメーカへの通知とのうち少なくともいずれかを促すための表示を行う
ことを特徴とする請求項１０記載の車載装置。
【請求項１６】
前記表示手段が、
前記保険加入状態が、前記メモリカードに格納された保険契約データと前記記憶装置に格納された保険契約データとに不整合が存在している状態である場合、又は前記記憶装置に前記ユーザが未登録である場合、他人の自動車の運転と自動車の入替又は買増とのいずれかを選択するよう促すための表示を表示装置に行う
ことを特徴とする請求項１０記載の車載装置。
【請求項１７】
請求項１乃至９のいずれかに記載の情報処理方法をコンピュータに実行させるためのプログラム。
【発明の詳細な説明】
【０００１】
【発明が属する技術分野】
本発明は、保険契約データ等を格納したメモリカード（ＩＣカード等を含む）などの記録媒体を用いた情報処理に関する。
【０００２】
【従来の技術】
自動車保険の契約に際しては、運転者の年齢、自動車運転免許証の種別（例えばゴールドなど）、住所、運転する自動車の車種、型式、排気量、エアバックやＡＢＳ（Ａｎｔｉｌｏｃｋ　Ｂｒａｋｅ　Ｓｙｓｔｅｍ）等の安全装備などの様々な項目を特定する必要がある。これらの情報項目の特定に不備があった場合には、免責、補償額の不足、補償漏れ等の問題が生じる恐れがあり、その結果自動車事故発生時には事故被害者及び加害者共に多大な問題を生じさせる。
【０００３】
また、自動車の運行にあたっては法令により各種の義務・要件が定められているが、仮に法令違反が存在したとしても、現在の自動車では法令を無視して自動車を運行することができるようになっている。その結果、例えば自賠責保険の無保険車、車検切れの自動車、任意保険の未加入車が運行され、事故が発生した場合被害者は十分な補償を受けることができないという事態が発生する恐れがあった。また無免許運転者、免許停止者等が自動車を運行する場合もあり、シートベルトの不着用により事故の被害を拡大するような場合もあった。従来ではこれらの法令違反を内在する自動車の運行や法令違反者による自動車の運行を有効に禁止したり、法令違反を生じさせないようにするための有効な手段の採用はなされていなかった。
【０００４】
さらに、自動車を買い替え又は買い増しを行った場合、契約している自動車保険等の引受保険会社等に対して、車両入れ替え又は買い増し（複数台所有）に伴う異動申請を提出し、それに対して引受保険会社が異動を承認するか判断した上で、承認書を発行するという一連の手続きが必要とされている。また自動車の買い替え又は買い増しにあっては、行政やメーカなどに対して、新車登録、廃車、抹消手続き等の各種手続きを行う必要がある。もし車両入れ替えや買い増しに伴う手続きの遅延、失念があると、自動車事故発生時に保険が免責になる、十分な補償が受けられない、行政への申請の不備により納税上のメリットが受けられないといった問題が生じ得る。
【０００５】
また、他人の自動車を運転する場合に、実際に受けることができる補償の内容は保険に精通している人が自ら加入している保険の契約内容と他人の自動車に付保されている保険の契約内容を照らし合わせなければ分からず、実際には保険契約内容を厳密に考慮している場合は少ない。そのため免責の対象になったりして、事故発生時に十分な補償を得られない場合もある。また、自動車をレンタカー会社から借りる場合には保険に加入するのが通常であるが、自ら加入している保険の契約内容を考慮した上で必要な分だけ保険契約を行うということは行われていない。従って、必要の無い保険契約を行って余分な費用がかかってしまう場合もある。
【０００６】
【発明が解決しようとする課題】
以上のように従来においては、運行する自動車に対して適切な保険契約を行うという観点は示されていない。また、保険契約に問題があったり法令違反があったりする場合にそれらの問題を解消したり、問題発生を未然に防止するための技術は開示されていない。
【０００７】
従って本発明の目的は、運行する自動車に対して適切な保険契約を行うことができるようにするための情報処理技術を提供することである。
【０００８】
また本発明の他の目的は、保険契約に問題があったり法令違反があったりする場合にそれらの問題を解消するための技術を提供することである。
【０００９】
さらに本発明の他の目的は、自動車運行における法令違反や保険契約などの問題の発生を未然に防止するための技術を提供することである。
【００１０】
【課題を解決するための手段】
本発明においては、メモリカード等の記録媒体に、免許証に関連するデータと、保険契約に関連するデータとが格納される。保険契約に関連するデータには、自動車保険だけでなく、生命保険、傷害保険等のデータも含まれる場合もある。メモリカードに格納されたデータは自動車に搭載される車載機やレンタカー会社のコンピュータ等のメモリカード・インターフェースにより読み取られ、車載機やコンピュータ等の記憶装置に格納された登録運転者のデータと保険契約に関連するデータとを合わせて保険加入状況を特定したり、法令違反や期限の確認などの処理を行う。具体的に以下のとおりである。
【００１１】
すなわち本発明の第１の態様に係る車載機は、少なくともメモリカードからデータを読み出すメモリカード・インターフェース手段と、自動車の保険契約データを格納する記憶装置と、メモリカード・インターフェース手段によりメモリカードから読み出された保険契約データと記憶装置に格納された自動車の保険契約データとを用いて保険加入状態を特定する状態特定手段と、保険加入状態が予め定められた状態であることと判断された場合には、特定された状態についての情報を表示装置に表示する表示手段とを有する。このようにすることにより、運転者は自動車の運行上適切な保険加入状況にあるか確認することができるようになる。
【００１２】
また、上で述べた表示手段を、保険加入状態が補償無しの状態であると判断された場合、メモリカードに格納された保険契約データと記憶装置に格納されている自動車の情報とのうち少なくともいずれかを表示装置に表示するような構成とすることも可能である。これらの情報を自動車運行上必要な保険加入手続きにおいて用いることができるようになる。
【００１３】
さらに上で述べた状態特定手段を、メモリカードに格納されたデータと記憶装置に格納されたデータとのうち少なくともいずれかのデータに基づき、期限の到来又は期限の経過を検出するような構成とすることも可能である。例えば、免許更新の期限、自賠責保険又は任意保険の期限、車検の期限等、またこれらの期限の徒過を検出するものである。これにより、手続き・申請の失念を防止するとともに、期限の経過に応じて手続き・申請をユーザに促すことも自動車の運行を禁止することもできるようになる。
【００１４】
また、メモリカードに格納されたデータと記憶装置に格納されたデータとのうち少なくともいずれかのデータに基づき法令違反を検出した場合、自動車の運行を禁止するための制御を実施する手段をさらに有するような構成であってもよい。無保険などの状態において事故が発生した場合の運転者及び被害者の不利益を未然に防止するものである。さらにシートベルトの不着用状態や運転者の飲酒状態を検出するセンサを設けて、自動車の運行を禁止するように制御させることも可能である。
【００１５】
さらに、期限の到来と期限の経過と法令違反と所定の保険加入状態とのうち少なくともいずれかに対するユーザからの手続き指示に応じて、当該手続きに関連するコンピュータに所定の情報を送信する手段をさらに有するような構成であってもよい。このようにすれば、自動車運行に適切な保険加入や、法令違反や期限の到来又は期限の経過に由来する問題を解決するための手続きなどをユーザに簡単に行わせることができるようになる。
【００１６】
また、上で述べた状態特定手段が、メモリカードに格納されたデータと記憶装置に格納されたデータとのうち少なくともいずれかのデータに基づき自動車の新規購入を検出し、上で述べた表示手段が、自動車の新規購入が検出された場合、保険加入と行政手続きとメーカへの通知とのうち少なくともいずれかを促すための表示を行うような構成であってもよい。このようにすれば、自動車の新規購入時における手続きに対処できるようになる。
【００１７】
さらに、上で述べた表示手段が、保険加入状態がメモリカードに格納された保険契約データと記憶装置に格納された保険契約データとに不整合が存在している状態である場合、又は記憶装置にユーザが未登録である場合、他人の自動車の運転と自動車の入替又は買増とのいずれかを選択するよう促すための表示を表示装置に行うような構成であってもよい。メモリカードに格納された保険契約データと記憶装置に格納された保険契約データに不整合が生じている場合、又は記憶装置にユーザが未登録である場合、通常運行している自動車ではない自動車を運転しようとしている場合であり、必要な手続きが他人の自動車の運転と自動車の入れ替え又は買い増しとでは異なるためである。
【００１８】
本発明の第２の態様に係る情報処理方法は、他人の自動車を運転する場合、ユーザの記録媒体に格納されたデータと記憶装置に格納された保険契約データとを用いて実際に適用される補償内容を特定し、ユーザに提示するステップと、ユーザから保険加入が指示された場合、補償期間を含む保険内容を指定するための保険加入要求を保険会社のコンピュータに送信するステップ（例えば複数回に分けて送信する場合を含む）と、保険会社のコンピュータから保険契約データを受信した場合、ユーザの記録媒体及び記憶装置に、受信した保険契約データのうち少なくとも一部を記録するステップとを含む。このようにすることにより他人の自動車の運転を行う場合に、補償内容を把握した上で、補償の不足など保険に関連する問題があれば、簡単に手続きを行って問題を解決することができるようになる。また、ユーザの記録媒体及び記憶装置に受信した保険契約データのうち少なくとも一部を記録することにより、補償期間内であればこれ以降問題が通知されなくなる。なお、記憶装置は車載機の記憶装置ではなく、例えばレンタカー会社に設置されるコンピュータの記憶装置であってもよい。
【００１９】
また、ユーザの記録媒体に格納されたデータと記憶装置に格納されたデータとに基づきユーザが記憶装置に未登録であると判断された場合、他人の自動車の運転と自動車の入替又は買増とのうち少なくともいずれかを選択するようユーザに促すステップをさらに含むような構成であってもよい。ユーザの未登録状態を検出することにより、保険契約等に関連する手続きなどをユーザに促すものである。
【００２０】
なお、上で述べた保険内容には、記憶装置に格納された自動車の情報を含むような構成であってもよい。適切な保険契約を行うためである。
【００２１】
また、上で述べた実際に適用される補償内容又は保険内容が、自動車保険の情報と、ユーザの生命保険の情報と傷害保険の情報とのうち少なくともいずれかとを含むような構成であってもよい。自動車保険だけでなく生命保険や傷害保険についても考慮するためである。
【００２２】
さらに、ユーザの記録媒体に格納された保険契約データと記憶装置に格納された保険契約データとに不整合が存在している場合、他人の自動車の運転と自動車の入替又は買増とのいずれかを選択するようユーザに促すステップをさらに含むような構成であってもよい。このような不整合により保険契約上問題があることが分かる。
【００２３】
また、ユーザにより自動車の入替又は買増が指示された場合、ユーザの記録媒体に格納された保険契約データ（例えば証券番号）と記憶装置に格納された自動車の情報とを含む異動情報を保険会社のコンピュータに送信するステップと、保険会社のコンピュータから保険料の差額についての情報を受信した場合、表示装置に表示するステップとをさらに含むような構成であってもよい。保険会社に必要な届け出を自動的に行うことができ、さらに異動保険料が発生する場合にはユーザに提示することにより、精算のための手続きを行わせることも又追加保険料が過大な場合には保険内容の変更を行うこともできるようになる。
【００２４】
さらに、記憶装置に格納された自動車の情報を含む自動車の入替又は買増についての情報を、所定の登録用コンピュータに送信するステップをさらに含むような構成であってもよい。例えばメーカや電子政府用サーバに送信するものである。
【００２５】
また、ユーザ以外のユーザの記録媒体に、受信した保険契約データのうち少なくとも一部を記録するステップをさらに含むようにする場合もある。例えば旅行で複数人で交代して運転する場合に対処するためである。
【００２６】
また、ユーザ以外の他のユーザ（例えば家族）の、記憶装置への登録要求を受けた場合、当該他のユーザの記録媒体に格納されたデータと記憶装置に格納された保険契約データとを用いて当該保険契約において当該他のユーザの登録の是非について判断するステップをさらに含むような構成であってもよい。例えば、保険契約上家族限定が設定されている場合や年齢条件が設定されている場合に、他のユーザが当該条件に抵触しないユーザであるかを判断して、保険契約上問題が生じないようにするためである。
【００２７】
本発明に係る情報処理方法をコンピュータに実行させるためのプログラムを作成することも可能であって、当該プログラムは、例えばフレキシブル・ディスク、ＣＤ−ＲＯＭ、光磁気ディスク、半導体メモリ、ハードディスク等の記憶媒体又は記憶装置に格納される。また、ネットワークを介して頒布される場合もある。なお、処理途中のデータについては、コンピュータのメモリに一時保管される。
【００２８】
【発明の実施の形態】
本発明の一実施の形態に係るシステム構成図を図１に示す。自動車３００には、例えばカーナビゲーション機能とネットワーク１との通信機能とウェブ（Ｗｅｂ）ブラウザ機能とを有する車載機３が設けられている。車載機３には、車載機ハードディスクドライブ（ＨＤＤ）３１とＩＣカード３５０に対するインターフェースであるＩＣカード・リーダライタ３３とが接続されている。車載機ＨＤＤ３１には、カーナビゲーション機能を実現するための地図情報や音声情報その他のデータが格納されている。また、自動車３００に関連して付保されている自動車保険についてのデータと、運転者登録されたユーザの免許証についてのデータとが登録されている。なお、運転者登録されたユーザの生命保険のデータや傷害保険のデータを登録するようにしてもよい。ＩＣカード・リーダライタ３３は、接触型又は非接触型のＩＣカード３５０からデータを読み出し、またデータを書き込む機能を有する。また、ＩＣカードではなく他の規格の記録媒体であってもよい。なお、本願ではＩＣカードを記録媒体の総称として用いるものとする。ＩＣカード３５０には、保持者の運転免許証の情報と、保持者が運転する自動車の自動車保険契約についてのデータと、保持者の生命保険契約や傷害保険契約のデータとを格納している。但し、自動車保険契約のデータのみであってもよい。運転者は自動車を運転する際には、自己のＩＣカード３５０を車載機３に接続されたＩＣカード・リーダライタ３３にセットする。
【００２９】
例えばインターネットであるネットワーク１には、１又は複数のレンタカー会社コンピュータ１１と、１又は複数の電子政府サーバ９と、１又は複数の保険会社サーバ５と、１又は複数のメーカ・サーバ７と、１又は複数のディーラ・コンピュータ１３とが接続されている。また、１又は複数の車載機３も無線又は有線にてネットワーク１に接続する。車載機３は通信機能を有するものとするが、携帯電話機等他の通信装置と接続して通信機能を実現するようにしてもよい。レンタカー会社コンピュータ１１は、例えばレンタカー会社の営業所に設置され、レンタカー会社コンピュータ１１にはＩＣカード・リーダライタ１１１が接続され又は設けられている。これによりレンタカー会社においてレンタカーを借りる場合に、借主である運転者のＩＣカード３５０を用いて過不足ない適切な保険契約を行うことができるようになる。
【００３０】
車載機３は、運転者による指示に応じて、電子政府サーバ９、保険会社サーバ５、メーカ・サーバ７等とネットワーク１を介して通信を行い、必要な保険契約、申請手続き、登録通知等を行う。ディーラ・コンピュータ１３は、自動車３００の車載機３に代わって、電子政府サーバ９、保険会社サーバ５、メーカ・サーバ７と通信を行い、必要な手続き処理を実施する場合もある。
【００３１】
以下、図１に示したシステムの処理内容を図２乃至図４２を用いて説明する。まず、車載機３は、自動車の運行可否確認の前に運転者が運転を開始しないように、自動車３００を運行禁止状態にセットする（ステップＳ１）。そして運転者は、運転開始前に、自己のＩＣカード３５０を車載機３に接続されたＩＣカード・リーダライタ３３にセットする。そうすると、ＩＣカード・リーダライタ３３は、ＩＣカード３５０からデータを読み出す（ステップＳ３）。また、車載機ＨＤＤ３１からデータを読み出す（ステップＳ５）。そして、車載機ＨＤＤ３１から読み出されたデータとＩＣカード３５０から読み出されたデータとから本自動車３００が無保険状態であるか否かを判断する（ステップＳ７）。すなわち、車載機ＨＤＤ３１に保険契約データが格納されておらず、ＩＣカード３５０にも自動車保険に関するデータが格納されていない場合である。新規に自動車を購入したような場合には、このような状態となっている。また、保険契約データが格納されている場合であっても、契約期間が完全に過ぎている場合にも無保険状態であると判断する。なお、自賠責保険のデータしか格納されていない場合にも、無保険状態であると判断する。もし、無保険状態であると判断された場合には、端子Ａを介して図３の処理に移行する。
【００３２】
先に無保険状態と判断された場合の処理を図３乃至図８を用いて説明する。車載機３は、表示装置に初期手続きを実行するか確認するための表示を行い、運転者に初期手続きの実行を促す。例えば図４に示すような表示がなされる。図４の例では、初期手続きが必要な旨の表示を行っており、ユーザ登録、電子政府への申請手続き、メーカへの登録通知、自動車などの保険加入申し込みを行うかを問うている。また、「手続きを行う」というボタン、「手続きを行わない」というボタンが設けられており、運転者はいずれかをクリックする（又は触れる）。
【００３３】
もし、「手続きを行わない」というボタンがクリックされた場合には（ステップＳ１７：Ｎｏルート）、端子Ｇを介して図１９の処理に移行する。一方、「手続きを行う」というボタンがクリックされた場合には（ステップＳ１７：Ｙｅｓルート）、車載機３はＩＣカード３５０から読み出したデータのうち運転免許証のデータを車載機ＨＤＤ３１に登録する（ステップＳ１９）。また、自動車３００の車両情報（登録番号、車体番号、車種、型式、排気量、安全装備（ＡＢＳやエアバック等））を自動車３００から取得し、車載機ＨＤＤ３１に登録する（ステップＳ２１）。以後、車載機３は自動車３００から車両情報を取得する必要は無く、車載機ＨＤＤ３１から読み出すことができる。なお、必要に応じて車両情報の照合処理を実施し、不正に車載機ＨＤＤ３１の車両情報の変更を行わないようにする場合もある。また、自動車３００から取得するのではなく、運転者に車両情報を入力させるような構成であってもよい。
【００３４】
そして、車載機３は、車両情報及びＩＣカード３５０からのデータを用いて通知データを生成し、メーカ・サーバ７にネットワーク１を介して接続し、メーカ・サーバ７に送信する（ステップＳ２３）。例えば、運転免許証のデータに含まれる運転者の氏名及び住所と、車両情報とを用いて通知データを生成する。メーカ・サーバ７は、車載機３から通知データを受信し、通知データの確認処理を実施した後、メーカ・サーバ７の顧客データベース（ＤＢ）に登録する（ステップＳ２５）。通知データの確認処理は、例えばエラーチェックのような処理である。
【００３５】
また、車載機３は、車両情報及びＩＣカード３５０からのデータ等（例えば運転免許証の情報に含まれる氏名、住所、運転免許証番号）を用いて行政への手続きデータを生成し、ネットワーク１を介して電子政府サーバ９に接続し、電子政府サーバ９に手続きデータを送信する（ステップＳ２７）。電子政府サーバ９は、車載機３から手続きデータを受信し、手続きデータの確認処理後、電子政府サーバ９のデータベースに登録する（ステップＳ２９）。手続きデータの確認処理は、例えばエラーチェックのような処理である。そして端子Ｈを介して図５の処理に移行する。なお、ステップＳ２３の前に電子政府への申請手続きを行うかという問い合わせを行い、ステップＳ２７の前にメーカへの登録通知を行うかという問い合わせを行うような場合もある。そして、行わないという指示がなされた場合は、例えばステップＳ２３及びＳ２５、ステップＳ２７及びＳ２９をスキップするようにしてもよい。
【００３６】
図５において、車載機３は、ネットワーク１を介して保険会社サーバ５に接続し、車両情報及びＩＣカード３５０から読み出されたデータ（例えば住所、氏名、年齢）を含む自動車保険見積ページ要求を保険会社サーバ５に送信する（ステップＳ３１）。保険会社サーバ５は、車載機３から車両情報及びＩＣカード３５０から読み出されたデータを含む自動車保険見積ページ要求を受信し、記憶装置に格納する（ステップＳ３３）。保険会社サーバ５は、受信した車両情報及びＩＣカード３５０から読み出されたデータに基づいて、自動車保険見積ページ・データを生成し、車載機３に送信する（ステップＳ３５）。車載機３は、保険会社サーバ５から自動車保険見積ページ・データを受信し、表示装置に表示する（ステップＳ３７）。例えば図６に表示すような画面が表示される。
【００３７】
図６の例では、自動車保険の対物賠償額入力欄、対人賠償額入力欄、車両保険の保険金額、搭乗者傷害保険死亡保険金の入力欄、生命保険の入院保険金日額の入力欄、生命保険死亡保険金の入力欄等が設けられている場合もある。なお、見積条件についてはより多くの項目について条件設定できるようにする。また、決済方法の指定欄が設けられており、クレジットカード払いと銀行引き落としのいずれかを選択するためのラジオボタンと、クレジットカード払いの場合のカード会社選択部分（ＶＩＳＩ社と、ＭＡＳＥＲ社のいずれかを選択するためのラジオボタン）とカード番号入力欄と、銀行引き落としの場合の銀行名入力欄と支店名入力欄と当座又は普通のいずれかを選択するためのラジオボタンと口座番号入力欄とが設けられている。以上の事項を入力又は選択した結果をもって見積を指示するための見積ボタンも設けられている。
【００３８】
運転者は、図６のような画面に表示された入力欄に入力を行い、またラジオボタンで選択を行った後、見積ボタンをクリックする。車載機３は、見積条件データ及び決済データの入力を受け付け、見積条件データ及び決済データを保険会社サーバ５へ送信する（ステップＳ３９）。保険会社サーバ５は、車載機３から見積条件データ及び決済データを受信し、記憶装置に格納する。そして、見積条件データ及び決済データに対する確認処理を実施する。すなわち、見積条件データ及び決済データに保険引受又は決済において問題となるような部分が無いか確認する。もし、問題があればその部分を指摘するためのページ・データを生成し、車載機３に送信する。もし、問題が無ければ確認ページ・データを生成し、車載機３に送信する（ステップＳ４１）。車載機３は、保険会社サーバ５から確認ページ・データを受信し、表示装置に表示する。例えば、図７のような画面表示がなされる。
【００３９】
図７の例では、見積保険料（１０３２００円）と、見積条件表示欄（対人：無制限、対物：無制限、３０歳未満不担保など）と、保険会社情報（東京○○株式会社／東京○○あんしん生命保険会社）と、決済方法情報（クレジットカード払い、ＶＩＳＩカード、カード番号１２３４５６７８）と、見積りをやり直すための再見積ボタンと、以上の条件で申し込みを行うための申し込みボタンとが含まれる。なお、ここでは生命保険も損害保険も両方とも１つの保険会社サーバ５に申し込みを送信するような形で説明しているが、生命保険を生命保険会社サーバに、損害保険会社を損害保険会社サーバに申し込みを送信するような構成に変形することも可能である。
【００４０】
運転者は、見積りをやり直す場合には再見積ボタンをクリックし、保険申し込みを行う場合には申し込みボタンをクリックする。ここでは申し込みボタンがクリックされたものとする。そうすると車載機３は、申し込みボタンのクリックによる確認応答を保険会社サーバ５に送信する（ステップＳ４３）。保険会社サーバ５は、車載機３から確認応答を受信すると、見積条件と車両情報とＩＣカード３５０から読み出されたデータとにより保険契約の計上データを生成し、契約ＤＢに登録する。また、運転者により指定された決済方法に従って、決済処理を実施する（ステップＳ４５）。例えば、クレジットカード会社に請求データを送信したり、銀行引き落としのためのデータを生成して、銀行のコンピュータに送信したりするものである。なお、決済処理については様々な処理があり、また本実施の形態の主要部分ではないので、これ以上の説明は省略する。
【００４１】
そして、登録処理及び決済処理が終了すると、保険会社サーバ５は、保険加入手続き完了通知のためのデータ及び保険契約内容や証券番号等の情報を含む保険契約データを生成し、車載機３に送信する（ステップＳ４７）。車載機３は、保険会社サーバ５から保険加入手続き完了通知のためのデータ及び保険契約データを受信し、保険加入手続き完了通知等を表示装置に表示する（ステップＳ４９）。例えば、図８のような画面表示がなされる。また、車載機３は、ＩＣカード３５０及び車載機ＨＤＤ３１に、受信した保険契約データを登録する（ステップＳ５１）。ステップＳ５１の後に端子Ｂを介して図２のステップＳ９に戻る。
【００４２】
ここでは、ユーザ登録、電子政府への申請手続き、メーカへの登録通知、自動車などの保険加入手続きが完了した旨の表示がなされる。元の処理に戻るためには「ＴＯＰへ」ボタンをクリックする。なお、実施した処理のみについて完了を表示するものである。従って、行っていない処理については表示を行わない。
【００４３】
このような処理を実施することにより、無保険状態から保険契約（自賠責保険を含む場合もあれば、含まない場合もある）を行って適切な保険加入状態に移行させることができる。また、電子政府やメーカに対する申請手続き、通知手続きも実施できるようになる。
【００４４】
次に、車載機３は、車載機ＨＤＤ３１に運転者の家族など特定の人の登録を行うか運転者に問い合わせる（ステップＳ９）。例えば図９のような画面表示がなされる。図９の例では、他の人の登録を行うためのＹｅｓボタンと、他の人の登録を行わないＮｏボタンとが設けられている。もし、Ｙｅｓボタンがクリックされた場合には端子Ｉを介して図１０の処理に移行する。一方、ＮｏボタンがクリックされるとステップＳ１１に移行する。
【００４５】
ここでは端子Ｉを介して行われる処理（図１０）を説明する。車載機３は、ＩＣカード３５０の差し替え要求を表示装置に表示する（ステップＳ５５）。例えば図１１のような表示がなされる。ＩＣカードを差し替えるように要求している。運転者はＩＣカードを差し替えるとＹＥＳボタンをクリックする。車載機３は、ＹＥＳボタンのクリックに応じて、車載機３に接続されたＩＣカード・リーダライタ３３は、新たなＩＣカード３５０からデータを読み出す（ステップＳ５７）。そして、新たなＩＣカード３５０から読み出されたデータのうち運転免許証のデータを主に用いて、車載機ＨＤＤ３１に格納された保険契約データとの関係で矛盾が生じていないかを判断する（ステップＳ５９）。例えば、３０歳未満不担保とされているのに２０歳代の人を登録しようとしていないか、家族限定となっているのに家族以外の人を登録しようとしていないかといった事項を確認する。
【００４６】
もし矛盾が無い場合には、車載機ＨＤＤ３１に記録されている保険契約データをＩＣカード３５０に登録し、逆にＩＣカード３５０から読み出したデータ（例えば運転免許証のデータ）を車載機ＨＤＤ３１に登録する（ステップＳ６１）。一方、矛盾がある場合には、登録不可を表示装置に表示する（ステップＳ６３）。そして、全員の登録が完了したか問い合わせる表示を表示装置に行う（ステップＳ６４）。例えば図１２のような表示を行う。図１２の例では全員の登録が行われた場合にクリックされるＹＥＳボタンと、全員の登録が完了していない場合にクリックされるＮＯボタンとが設けられている。もし、ＮＯボタンがクリックされるとステップＳ５５に戻る。
【００４７】
一方、ＹＥＳボタンがクリックされると今回の運転者のＩＣカードを要求する表示を表示装置に行う（ステップＳ６５）。例えば図１３のような表示がなされる。図１３の例では、「今回の運転者のＩＣカードを挿入してください。」という表示がなされ、ＩＣカードの差し替えを行った時点でクリックするＹＥＳボタンが設けられている。処理は、端子Ｌを介して図２のステップＳ１１の処理に移行する。
【００４８】
処理は図２のステップＳ１１に戻って、車載機３は、要警告事項が存在するかを判断する（ステップＳ１１）。要警告事項とは、自賠責保険切れとなったか又は自賠責保険切れ間近であるか、車検切れとなったか又は車検切れ間近であるか、無免許又は免許停止・取り消し・失効状態にあるか、又は免許更新期限経過又は期限間近であるか、任意保険の契約期間経過又は期限間近であるか等である。ここでは車載機ＨＤＤ３１及びＩＣカード３５０に格納されているデータを基に判断する。もし要警告事項が存在しなければ端子Ｋを介して図１９のステップＳ１１１に移行する。一方、要警告事項が存在していれば、警告情報を表示装置に表示する（ステップＳ１３）。例えば図１４のような表示がなされる。図１４の例では、あと２ヶ月で自賠責保険が切れ、あと１ヶ月で車検が切れる旨の表示がなされている。ここでは切れる前の警告が表示されているが、切れた後でも警告はなされる。ここでは、これらの警告に対して対応する手続きを実施する場合にクリックされる「手続きする」ボタンと、手続きを行わない場合にクリックされる「手続きしない」ボタンも含まれている。ステップＳ１３の表示においては、オンライン手続き可能な事項があれば「手続きする」ボタンが設けられ、オンライン手続き可能な事項が無ければ「手続きする」ボタンは設けられない。例えば運転免許証に関する手続きはオンラインでは不可能で、ここでは警告を表示するだけで手続きについては取り扱わないものとする。但し、これは一例であって電子政府サーバ９の機能等によっては可能に成る場合もある。特に無事故無違反であることが確認された場合には、オンラインにて手続きを行うことができるようにする場合もある。
【００４９】
車載機３は、オンライン手続き可能な事項について手続き指示があったか判断する（ステップＳ１５）。「手続きする」ボタンがクリックされた場合には端子Ｃを介して図１５乃至図１８の処理に移行する。一方、オンライン手続き可能な事項がない場合又は「手続きしない」ボタンがクリックされた場合には端子Ｋを介して図１９の処理に移行する。
【００５０】
ここでは端子Ｃを介して移行する図１５乃至図１８の処理を説明する。図１５では、最初に自賠責保険の加入手続きを実施するか判断する（ステップＳ７１）。手続き不要の場合には端子Ｍを介して図１８の処理に移行する。一方、手続き要の場合には、車載機３は、ネットワーク１を介して保険会社サーバ５と接続し、保険会社サーバ５の自賠責保険加入ページにアクセスする（ステップＳ７３）。この際車載機ＨＤＤ３１に格納された車両情報を送信する場合もある。保険会社サーバ５は、車載機３からのアクセスに応じて、自賠責保険加入ページ・データを車載機３に送信する（ステップＳ７５）。車載機３は、保険会社サーバ５から自賠責保険加入ページ・データを受信し、表示装置に表示する（ステップＳ７７）。例えば図１６に示すような画面が表示される。
【００５１】
図１６の例では、車両情報に基づき自賠責保険加入手続きを行う旨の表示と、決済方法の指定を促す表示と、クレジットカード払いと銀行引き落としとのいずれかを選択するためのラジオボタンと、クレジットカード払いの場合カード会社の選択のためのラジオボタン及びカード番号入力欄と、銀行引き落としの場合銀行名の入力欄と支店名の入力欄と当座又は普通のいずれかを選択するためのラジオボタンと口座番号入力欄とが含まれる。また、入力された決済方法の情報に基づいて手続きする場合の「手続きする」ボタンも表示される。なお、図１６のような画面において車両情報の入力欄が設けられる場合もある。
【００５２】
運転者は図１６のような画面に決済方法の情報を入力して、「手続きする」ボタンをクリックする。車載機３は、決済情報の入力を受け付け、車載機ＨＤＤ３１に格納された車両情報と共に保険会社サーバ５に送信する（ステップＳ７９）。保険会社サーバ５は、車載機３から車両情報と決済情報とを受信し、記憶装置に格納する（ステップＳ８１）。そして、保険会社サーバ５は、受信情報の確認処理を実施し、決済情報に基づき決済処理を実施する。もし受信情報の確認処理と決済情報に基づく決済処理において問題が無ければ、自賠責保険の保険契約情報を契約ＤＢに登録する（ステップＳ８３）。なお、確認処理においてはエラーチェックなどの処理を行う。また、車両情報に基づく保険料の確定処理も行われる。決済処理については、クレジットカード会社のコンピュータに請求データを送信する処理であったり、銀行引き落としのためのデータを生成し、銀行のコンピュータに送信するような処理である。本実施の形態においてはこれらの処理は主要部では無いので、これ以上説明しない。
【００５３】
そして保険会社サーバ５は、契約ＤＢに格納された保険契約情報から保険内容や証券番号等を含む保険契約データを、そして手続き完了通知データを生成し、車載機３に送信する（ステップＳ８５）。車載機３は、保険会社サーバ５から保険契約データ及び手続き完了通知データを受信し、手続き完了通知を表示装置に表示する（ステップＳ８７）。また、受信した保険契約データをＩＣカード３５０と車載機ＨＤＤ３１とに登録する（ステップＳ８９）。ステップＳ８７では例えば図１７に示されるような画面が表示される。
【００５４】
図１７の例では、自賠責保険の加入手続きが完了したこと及び保険料金額の表示が含まれる。また、決済方法として指定した銀行引き落としの情報についても表示がなされている。さらに、次の手続きなどに移行するための「次へ」ボタンも設けられている。「次へ」ボタンがクリックされると、端子Ｍを介して図１８の処理に移行する。
【００５５】
このようにすれば自賠責保険切れを防止することができる。なお、任意保険についても契約期間切れまでに又は契約期間切れの後に手続きを行うことができるような構成とすることもできる。この手続きについては例えば図５に示した処理フローに従って行われる。
【００５６】
次に端子Ｍを介して図１８に移行した後の処理について説明する。車載機３は、今回車検手続きのための処理を実施するか判断する（ステップＳ８９）。もし、行わない場合には端子Ｄを介して図２の処理に戻る。一方、車検手続きのための処理を実施する場合には、ＩＣカード３５０に格納されたデータ及び車載機ＨＤＤ３１に格納されたデータから、車検手続きに必要なデータが揃っているか判断する（ステップＳ９１）。例えば、車検証のデータ、自賠責保険データ、納税証明書のデータ等が揃っているか判断する。もし、必要なデータが揃っていないと判断された場合には、手続き不可能を表示装置に表示する（ステップＳ１０３）。一方、必要なデータが揃っている場合には、車検手続きのためのデータを生成し、ネットワーク１を介して電子政府サーバ９と接続し、車検手続きに必要なデータと共に車検手続きのためのデータ（申込書のデータなど）を電子政府サーバ９に送信する（ステップＳ９３）。
【００５７】
電子政府サーバ９は、車載機３から車検手続きに必要なデータと車検手続きのためのデータとを受信し、記憶装置に格納する（ステップＳ９５）。そして、受信したデータの確認処理を実施し、確認処理において問題が発見されなければ車検ＤＢに登録する（ステップＳ９７）。確認処理においては必要なデータが揃っているか及び車検手続きのための書式が正しいかといった事項について確認処理を実施する。そして、登録完了ページ・データを生成し、車載機３に送信する（ステップＳ９９）。車載機３は、登録完了ページ・データを受信し、表示装置に表示する（ステップＳ１０１）。処理は端子Ｄを介して図２の処理に戻る。
【００５８】
このようにすることにより車検手続きに対処することができるようになり、運転者の利便性を向上させることができると共に、法令違反を未然に防止又は是正することができるようになる。
【００５９】
端子Ｄを介して図２に戻ると端子Ｋを介して図１９の処理に移行する。そして、車載機３は、再度ＩＣカード３５０及び車載機ＨＤＤ３１からデータを読み出し、当該読み出したデータに基づき運行禁止状態であるか判断する（ステップＳ１１１）。ここでは、法令違反（例えば自賠責保険切れ、車検切れ、無免許又は免許失効・取り消し・停止状態）が存在する場合には、運行禁止状態として運行不可表示を表示装置に行う（ステップＳ１２１）。例えば図２０のような画面が表示される。図２０の例では自賠責保険が切れている場合である。既に運行禁止制御を行っているので、そのまま処理を終了する。
【００６０】
一方、法令違反等の運行禁止状態でなければ、ＩＣカード３５０に格納されている運転免許証のデータと車載機ＨＤＤ３１に登録された運転免許証のデータとに不整合が存在しているか判断する（ステップＳ１１３）。なお、ＩＣカード３５０に格納されている保険契約データと車載機ＨＤＤ３１に格納されている保険契約データとに不整合が存在するかという判断を行ってもよい。もし、不整合が存在していると判断された場合には端子Ｅを介して図２１の処理に移行する。
【００６１】
ここでは図２１乃至図３８の処理について説明する。まず車載機３は、車両入れ替え（又は買い増し以下同じ。）又は他車運転の選択画面を表示装置に表示する（ステップＳ１３１）。これは、車両入れ替えと他車運転とはＩＣカード３５０及び車載機ＨＤＤ３１に格納されているデータの状況においてはほぼ同じであり、運転者に指定してもらった方が正確な処理を実施することができるためである。例えば図２２に示すような表示を行う。図２２の例では、運転者が未登録であり、車両入れ替え又は他車運転のいずれかを選択するよう促す表示と、車両入替ボタンと、他車運転ボタンとが含まれる。
【００６２】
例えば図２２のような表示画面において他車運転ボタンがクリックされた場合には、端子Ｑを介して図３１の処理に移行する。一方、車両入替ボタンがクリックされた場合には、車載機ＨＤＤ３１に格納された車両情報と、ＩＣカード３５０に格納された保険契約データに基づく従来の保険契約内容を、表示装置に表示する（ステップＳ１３５）。例えば図２３に示すような画面が表示される。図２３の例では、車両情報が上段に、従来の保険契約内容については下段に示されている。車両情報には、メーカ、車種、型式、排気量、安全装備、登録番号等の情報が含まれる。また従来の保険契約内容には、自動車保険その他の保険内容や引受保険会社名などが含まれる。
【００６３】
運転者が例えば図２３の「次へ」ボタンをクリックすると、車両入替手続きメニュー画面を表示装置に表示する（ステップＳ１３７）。例えば図２４のような画面が表示される。図２４の例では、従来の「保険契約内容」で車両入替手続きを実施するか否かをユーザに選択させている。従って、従来の保険契約内容で車両入替手続きを行う場合にクリックされる「手続きする」ボタンと、条件変更を行う場合にクリックされる「条件変更する」ボタンとが設けられている。
【００６４】
図２４のような画面において運転者が「条件変更する」ボタンをクリックした場合には（ステップＳ１３９：Ｎｏルート）、端子Ｐを介して図２９の処理に移行する。一方、「手続きする」ボタンがクリックされると（ステップＳ１３９：Ｙｅｓルート）、車載機３は、ネットワーク１を介して保険会社サーバ５に接続し、車載機ＨＤＤ３１に格納された車両情報及び証券番号（ＩＣカード３５０に格納された保険契約データに含まれる）等を含む車両入替保険料見積要求を保険会社サーバ９に送信する（ステップＳ１４１）。保険会社サーバ５は、車載機３から車両情報及び証券番号等を含む車両入替保険料見積要求を受信し、記憶装置に格納する（ステップＳ１４３）。
【００６５】
保険会社サーバ５は、受信した車両情報及び証券番号により契約ＤＢから特定される保険契約内容に基づき、さらに残余の期間などを考慮して異動保険料の見積処理を実施する。そして、見積結果を含むページ・データを生成し、車載機３に送信する（ステップＳ１４５）。車載機３は、保険会社サーバ５から見積結果を含むページ・データを受信し、表示装置に表示する（ステップＳ１４７）。例えば図２５のような画面を表示する。図２５の例では、追加の保険料が必要で、異動保険料は５２３０円である旨の表示が含まれる。また、そのまま手続きするための「手続きする」ボタンと、条件変更を行うための「条件変更する」ボタンとがさらに含まれる。
【００６６】
ここで図２５における「条件変更する」ボタンがクリックされると（ステップＳ１４９：Ｎｏルート）、端子Ｐを介して図２９の処理に移行する。一方、「手続きする」ボタンがクリックされた場合には、車載機３は異動申請を保険会社サーバ５に送信する（ステップＳ１５１）。保険会社サーバ５は、車載機３から異動申請を受信する（ステップＳ１５３）。この後の処理は端子Ｎを介して図２６に移行する。
【００６７】
図２６では、保険会社サーバ５は、決済ページ・データを生成し、車載機３に送信する（ステップＳ１５７）。車載機３は、保険会社サーバ５から決済ページ・データを受信し、表示装置に表示する（ステップＳ１５９）。例えば図２７のような画面が表示される。図２７の例では、クレジットカード払いと銀行引き落としのいずれかを選択するためのラジオボタンと、クレジットカード払いの場合カード会社を選択するためのラジオボタンとカード番号入力欄と、銀行引き落としの場合の銀行名入力欄と支店名入力欄と当座又は普通を選択するためのラジオボタンと口座番号入力欄と、入力結果を保険会社サーバ５に送信するための「手続きする」ボタンとが含まれる。
【００６８】
運転者は例えば図２７のような画面において決済情報を入力し、車載機３は、運転者による決済情報入力を受け付け、「手続きする」ボタンのクリックに応じて、決済情報を保険会社サーバ５に送信する（ステップＳ１６１）。保険会社サーバ５は、車載機３から決済情報を受信し、記憶装置に格納する。そして、受信した決済情報を確認し、入力漏れなどを確認した後に、決済処理を実行する（ステップＳ１６３）。例えばクレジットカード会社のコンピュータに請求データを送信したり、銀行のコンピュータに銀行引き落としのためのデータを送信したりする。そして、保険契約異動の登録を契約ＤＢに対して行う（ステップＳ１６５）。この際ステップＳ１４３（図２１）において受信したデータを用いる。また、保険会社サーバ５は、異動登録完了通知のデータと異動後の保険契約データとを生成し、車載機３に送信する（ステップＳ１６７）。
【００６９】
車載機３は、異動登録完了通知のデータ及び異動後の保険契約データを保険会社サーバ５から受信し（ステップＳ１６９）、異動登録完了通知を表示装置に表示する（ステップＳ１７１）。例えば図２８のような画面表示がなされる。図２８の例では、車両入替手続きが完了した旨の表示と、現在の補償内容の一覧表示と、引き受け保険会社の表示とが含まれている。また、次の処理に移行するための「ＴＯＰへ」ボタンも設けられている。
【００７０】
また、車載機３は、受信した異動後の保険契約データをＩＣカード３５０及び車載機ＨＤＤ３１に登録する（ステップＳ１７３）。そして、車載機ＨＤＤ３１に格納された車両情報とＩＣカード３５０に格納されているデータ（例えば運転免許証のデータ）を用いて車両入替手続きデータを生成し、ネットワーク１を介して電子政府サーバ９との接続を確立した後、電子政府サーバ９に車両入替手続きデータを送信する（ステップＳ１７５）。電子政府サーバ９は、車両入替手続きデータを車載機３から受信し、受信データの確認処理後、データベースに登録する（ステップＳ１７７）。電子政府サーバ９は、車載機３に登録完了通知を返信するようにしても良い。この後処理は端子Ｆを介して図１９のステップＳ１１５に戻る。
【００７１】
以上のような処理を実施することにより、車載機３から車両入替のための手続きを実施することができるようになる。ここではメーカに対する通知を行う処理については説明を省略しているが、メーカについても通知を行うようにしても良い。
【００７２】
次に図２１のステップ１３９及びステップＳ１４９において保険契約に条件変更を行うと指示された場合の処理について図２９及び図３０を用いて説明する。車載機３は、運転者による条件変更指示に応じて、保険会社サーバ５の契約条件変更ページへアクセスする（ステップＳ１８１）。保険会社サーバ５は、車載機３からのアクセスに応じて、契約条件変更ページ・データを生成し、車載機３に送信する（ステップＳ１８３）。車載機３は、保険会社サーバ３から契約条件変更ページ・データを受信し、表示装置に表示する（ステップＳ１８５）。例えば図３０に示すよう画面が表示される。図３０の例では、各保険項目について従来の保険契約内容の表示と変更後の契約条件の入力欄とが対応して設けられている。例えば、自動車保険の対物賠償金額は従来無制限であり、対応して金額入力欄が設けられている。また、自動車保険の対人賠償金額は従来無制限であり、対応して金額入力欄が設けられている。さらに、車両保険の保険金額は従来１０００万円であり、対応して金額入力欄が設けられている。また、自動車保険の搭乗者傷害保険金は従来５０００万円であり、対応して金額入力欄が設けられている。また、生命保険の入院保険金日額は従来１万円であり、対応して金額入力欄が設けられている。生命保険死亡保険金は従来３０００万円であり、対応して金額入力欄が設けられている。さらに、保険加入状態などに応じて傷害保険等についての従来の金額と変更後の金額入力欄が設けられる。運転者は、図３０のような画面に見積もり条件を入力した後、見積ボタンをクリックするようになっている。
【００７３】
車載機３は、運転者により入力された見積条件である変更後データを受け付け、見積ボタンのクリックに応じて変更後データを保険会社サーバ５に送信する（ステップＳ１８７）。保険会社サーバ５は、車載機３から変更後データを受信し（ステップＳ１８９）、受信した変更後データに基づく見積処理を実施する（ステップＳ１９１）。これにより、変更後の保険契約内容についての保険料が計算される。保険会社サーバ５は、見積結果を含む確認ページ・データを生成し、車載機３に送信する（ステップＳ１９３）。車載機３は、保険会社サーバ５から見積結果を含む確認ページ・データを受信し、表示装置に表示する（ステップＳ１９５）。例えば図２５のような画面が表示される。
【００７４】
運転者は、図２５で表示される追加又は返還保険料に基づき、直前の見積条件で手続きを行うか、再度条件変更を行うか判断し、直前の見積条件で手続きを行う場合には「手続きする」ボタンをクリックし、条件変更を行う場合には「条件変更する」ボタンをクリックする。「条件変更する」ボタンがクリックされると（ステップＳ１９７：Ｎｏルート）、端子Ｐを介して図２９のステップＳ１８１に戻る。一方、「手続きする」ボタンがクリックされた場合には（ステップＳ１９７：Ｙｅｓルート）、車載機３は異動申請を保険会社サーバ５に送信する（ステップＳ１９９）。保険会社サーバ５は、車載機３から異動申請を受信する（ステップＳ２０１）。その後の処理は決済に関する処理であり端子Ｎを介して図２６のステップＳ１５７に移行する。
【００７５】
次に図２１のステップＳ１３３で他車運転であることを運転者により指示された場合の処理を図３１乃至図４０を用いて説明する。車載機３は、ＩＣカード３５０から読み出されたデータと、車載機ＨＤＤ３１から読み出されたデータとをマッチングさせ、実際に適用される補償内容を確認する（ステップＳ２０５）。例えば、運転者のＩＣカード３５０に格納されている保険契約データにおいて車両が変更されても適用される補償内容を特定する。また、車載機ＨＤＤ３１に格納されている保険契約データの自動車保険の部分において、ＩＣカード３５０に格納されている運転免許証のデータに基づき補償が存在するかを確認する処理を実施する。そして、もし自動車保険（任意保険）の補償が全く無いような状態であれば（ステップＳ２０７：Ｙｅｓルート）、自動車保険の補償が無い旨の表示を表示装置に行う（ステップＳ２０９）。例えば図３２のような画面が表示される。図３２の例では、この自動車の保険では補償が無い旨が表示される。なお、自動車保険ではなく、生命保険を含めて補償内容を示すようにしても良い。また、保険に加入する場合にクリックされる「保険に加入する」ボタンと、保険に加入しない場合にクリックされる「保険に加入しない」ボタンとが設けられている。
【００７６】
もし、運転者が「保険に加入する」ボタンをクリックした場合には、端子Ｕを介して図３４の処理に移行する（ステップＳ２１１：Ｙｅｓルート）。一方、「保険に加入しない」ボタンがクリックされた場合には、端子Ｇを介して図１９のステップＳ１２１に移行する。すなわち、本実施の形態では自動車保険による補償が無い場合には自動車事故時において非常に大きな問題が生じるものとして、運行禁止状態にする。
【００７７】
一方自動車保険の補償がある場合には（ステップＳ２０７）、車載機３は、確認された補償内容を表示装置に表示する（ステップＳ２１３）。例えば図３３のような画面が表示される。図３３の例では、実際に適用される補償内容（対人賠償、対物賠償、車両保険、搭乗者傷害保険、不担保事由、生命保険）と、自動車保険保険会社名と、生命保険会社名とが表示されている。また、ここままの補償内容で充分な場合にクリックする「このままでＯＫ」ボタンと、補償を追加する場合にクリックする「条件変更する」ボタンとが含まれる。
【００７８】
例えば図３３のような画面において「このままでＯＫ」がクリックされた場合には（ステップＳ２１５：Ｙｅｓルート）、端子Ｆを介して図１９のステップＳ１１５に移行する。一方、図３３のような画面において「条件変更する」ボタンがクリックされた場合には（ステップＳ２１５：Ｎｏルート）、端子Ｒを介して図３９の処理に移行する。
【００７９】
次に、ステップＳ２１１で補償を追加すると指示された場合の処理を図３４乃至３８を用いて説明する。車載機３は、車載機ＨＤＤ３１に格納された車両情報及びＩＣカード３５０に格納されている自分の自動車の保険内容を表示装置に表示する（ステップＳ２１９）。例えば図２３のような画面が表示される。そして、「次へ」ボタンのクリックに応じて、車載機３は補償期間入力欄を含む手続きメニューを表示装置に表示する（ステップＳ２２１）。例えば図３５に示すような画面が表示される。図３５の例では、自身の自動車の「保険契約内容」で加入手続きを行うか問い合わせる表示が含まれる。また、保険契約期間（補償期間）の入力欄も設けられている。ここでは日付までしか入力欄が設けられていないが、時刻を指定できるようにしても良い。そして、自身の自動車の「保険契約内容」で加入手続きを行う場合にはクリックされる「手続きする」ボタンと、条件変更を指示するための「条件変更する」ボタンも設けられている。
【００８０】
運転者が「条件変更する」ボタンをクリックした場合には（ステップＳ２２３：Ｎｏルート）、端子Ｒを介して図３９の処理に移行する。一方、運転者が補償期間のデータを入力後「手続きする」ボタンをクリックした場合には（ステップＳ２２３：Ｙｅｓルート）、車載機３は、車載機ＨＤＤ３１に格納された車両情報と、ＩＣカード３５０に格納された保険内容のデータと、入力された補償期間のデータとを含む保険料見積要求を保険会社サーバ５へ送信する（ステップＳ２２５）。保険会社サーバ５は、車両情報と保険内容データと補償期間データとを含む保険料見積要求を車載機３から受信し、記憶装置に格納する（ステップＳ２２７）。保険会社サーバ５は、受信したデータを用いて見積処理を実施する。すなわち補償期間における保険料を計算する。そして、見積結果を含むページ・データを生成し、車載機３に送信する（ステップＳ２２９）。車載機３は、見積結果を含むページ・データを保険会社サーバ５から受信し、表示装置に表示する（ステップＳ２３１）。例えば図３６に示すような画面が表示される。ここでは保険料の表示部と、直前に指定した条件で手続きを行うための「手続きする」ボタンと、条件変更を行うための「条件変更する」ボタンとが含まれる。
【００８１】
例えば運転者が「条件変更する」ボタンをクリックすると（ステップＳ２３３：Ｎｏルート）、端子Ｒを介して図３９の処理を実施する。一方、運転者が「手続きする」ボタンをクリックすると（ステップＳ２３３：Ｙｅｓルート）、加入確認応答を保険会社サーバ５に送信する（ステップＳ２３５）。保険会社サーバ５は、車載機３から加入確認応答を受信する（ステップＳ２３７）。そして端子Ｓを介して図３７の処理に移行する。
【００８２】
次に端子Ｓに接続する処理フローを図３７及び図３８を用いて説明する。図３７では、保険会社サーバ５は、決済ページ・データを生成し、車載機３に送信する（ステップＳ２４１）。車載機３は、保険会社サーバ５から決済ページ・データを受信し、表示装置に表示する（ステップＳ２４３）。例えば図２７に示すような画面が表示される。
【００８３】
運転者は例えば図２７のような画面において決済情報を入力し、車載機３は、運転者による決済情報入力を受け付け、「手続きする」ボタンのクリックに応じて、決済情報を保険会社サーバ５に送信する（ステップＳ２４５）。保険会社サーバ５は、車載機３から決済情報を受信し、記憶装置に格納する。そして、受信した決済情報を確認し、入力漏れなどを確認した後に、決済処理を実行する（ステップＳ２４７）。例えばクレジットカード会社のコンピュータに請求データを送信したり、銀行のコンピュータに銀行引き落としのためのデータを送信したりする。そして、保険契約の計上データを契約ＤＢに登録する（ステップＳ２４９）。この際ステップＳ２２７（図３４）において受信したデータを用いる。また、保険会社サーバ５は、登録完了通知のデータと、計上データに基づき保険契約データとを生成し、車載機３に送信する（ステップＳ２５１）。
【００８４】
車載機３は、登録完了通知のデータ及び保険契約データを保険会社サーバ５から受信し（ステップＳ２５３）、登録完了通知を表示装置に表示する（ステップＳ２５５）。例えば図３８のような画面表示がなされる。図３８の例では、保険加入手続きが完了した旨の表示と、現在の補償内容の一覧表示と、補償期間表示と、引き受け保険会社の表示とが含まれている。また、次の処理に移行するための「ＴＯＰへ」ボタンと、他の運転者が存在するので当該他の運転者のＩＣカードにも保険契約データを登録するための「他の運転者あり」ボタンも含まれる。
【００８５】
また、車載機３は、受信した保険契約データをＩＣカード３５０及び車載機ＨＤＤ３１に登録する（ステップＳ２５７）。そして、運転者が例えば図３８のような画面において「ＴＯＰへ」ボタンをクリックした場合には（ステップＳ２５９：Ｎｏルート）、端子Ｆを介して図１９のステップＳ１１５に移行する。一方、「他の運転者あり」ボタンをクリックした場合には（ステップＳ２５９：Ｙｅｓルート）、ＩＣカード３５０の差し替えを要求する表示を行い、差し替えられた時点で新たに挿入されたＩＣカード３５０のデータ（特に運転免許証のデータ）を読み込む。そして、ＩＣカード３５０から読み出されたデータが車載機ＨＤＤ３１に格納された保険契約データの保険内容と齟齬を生じていないか判断する（ステップＳ２６１）。すなわち、保険契約データにおいて３０歳未満不担保とされているのに、２０歳代の運転者のＩＣカード３５０に保険契約データを登録しようとした場合には、登録できない旨の表示を行う。もし齟齬が生じていない場合には、ＩＣカード３５０に車載機ＨＤＤ３１に格納された保険契約データを登録する（ステップＳ２６３）。そして処理は端子Ｆを介して図１９のステップＳ１１５に移行する。なお、ＩＣカード３５０に格納された運転免許証の情報を車載機ＨＤＤ３１に登録する。
【００８６】
以上のような処理により、他人の自動車を運転する際においても、適切に補償内容を把握し、もし補償が不足していると判断される場合には必要な分だけ補償期間内のみ保険に追加して加入することができる。従って、自動車事故などが生じた場合であっても保険における大きな問題は生じない上、不足分だけ加入するためコストを最小限にすることも可能となる。
【００８７】
次に図３４のステップＳ２２３及びステップＳ２３３と、図３１のステップＳ２１５のＮｏルート後の処理を、図３９を用いて説明する。車載機３は、保険会社サーバ５における補償期間入力欄を含む契約条件変更ページへアクセスする（ステップＳ２６７）。この際、車載機ＨＤＤ３１に格納された車両情報も保険会社サーバ５に送信する。保険会社サーバ５は、車載機３からのアクセスに応じて、補償期間入力欄を含む契約条件変更ページ・データを生成し、車載機３に送信する（ステップＳ２６９）。保険会社サーバ５は車両情報を車載機３から受信して記憶装置に格納し、契約条件変更ページ・データ生成に用いる。車載機３は、補償期間入力欄を含む契約条件変更ページ・データを受信し、表示装置に表示する（ステップＳ２７１）。例えば図４０に示すような画面が表示される。
【００８８】
図４０の例では、各保険項目について自己の自動車等の保険契約内容の表示と今回の契約条件の入力欄とが対応して表示されている。例えば、自動車保険の対物賠償金額は自己の自動車では無制限であり、対応して金額入力欄が設けられている。また、自動車保険の対人賠償金額は自己の自動車では無制限であり、対応して金額入力欄が設けられている。さらに、車両保険の保険金額は自己の自動車では１０００万円であり、対応して金額入力欄が設けられている。また、搭乗者傷害保険金は自己の自動車では５０００万円であり、対応して金額入力欄が設けられている。また、生命保険の入院保険金日額は１万円であり、対応して金額入力欄が設けられている。生命保険死亡保険金は３０００万円であり、対応して金額入力欄が設けられている。傷害保険死亡保険金は０万円でり、対応して金額入力欄が設けられている。また、補償期間入力欄も設けられている。運転者は、図４０のような画面に見積もり条件を入力した後、見積ボタンをクリックするようになっている。
【００８９】
車載機３は、運転者により入力された見積条件である変更後データを受け付け、見積ボタンのクリックに応じて変更後データを保険会社サーバ５に送信する（ステップＳ２７３）。保険会社サーバ５は、車載機３から変更後データを受信し（ステップＳ２７５）、受信した変更後データに基づく見積処理を実施する（ステップＳ２７７）。これにより、変更後の保険契約内容についての保険料が計算される。保険会社サーバ５は、見積結果を含む確認ページ・データを生成し、車載機３に送信する（ステップＳ２７９）。車載機３は、保険会社サーバ５から見積結果を含む確認ページ・データを受信し、表示装置に表示する（ステップＳ２８１）。例えば図３６のような画面が表示される。
【００９０】
運転者は、図３６で表示される保険料に基づき、直前の見積条件で手続きを行うか、再度条件変更を行うか判断し、直前の見積条件で手続きを行う場合には「手続きする」ボタンをクリックし、条件変更を行う場合には「条件変更する」ボタンをクリックする。「条件変更する」ボタンがクリックされると（ステップＳ２８３：Ｎｏルート）、端子Ｒを介して図３９のステップＳ２６７に戻る。一方、「手続きする」ボタンがクリックされた場合には（ステップＳ２８３：Ｙｅｓルート）、車載機３は確認応答を保険会社サーバ５に送信する（ステップＳ２８５）。保険会社サーバ５は、車載機３から確認応答を受信する（ステップＳ２８７）。その後の処理は決済に関する処理であり端子Ｓを介して図３７のステップＳ２４１に移行する。
【００９１】
このような処理を実施することにより、他人の自動車を運転する場合であっても補償内容を変更して保険料を加減しながら保険契約を結ぶことができるようになる。なお、他人の自動車の運転については、知り合いの自動車を運転する場合だけではなく、レンタカー会社から借りた自動車を運転する場合にも生ずる。この場合、図３１、図３４、図３７及び図３９の処理フローは車載機３の代わりにレンタカー会社コンピュータ１１と保険会社サーバ５により実施される。また、レンタカー会社コンピュータ１１のＩＣカードリーダライタ１１１がＩＣカードリーダライタ３３の代わりであり、レンタカー会社コンピュータ１１に含まれる記憶装置（例えばハードディスク・ドライブ）が車載機ＨＤＤ３１の代わりである。レンタカー会社コンピュータ１１に含まれる記憶装置には、当該レンタカー会社において管理される自動車についての情報が記憶されている。
【００９２】
図１９の説明に戻って、ステップＳ１１３で未登録運転者ではないと判断された場合又は端子Ｆから戻ってきた場合、車載機３は運転者等の状態は運転禁止状態にあるか確認する（ステップＳ１１５）。例えば、運転者等のシートベルト着用を確認したり、特別なセンサを搭載している場合には運転者の飲酒状態を確認したりする。もし、シートベルト着用が不十分であったり、運転者のアルコールレベルが高いと判断された場合には、是正要求を表示装置に表示する（ステップＳ１１７）。例えば図４１ような画面が表示装置に表示する。図４１の例では「シートベルトが締められていません。シートベルトが締められていないと運転できません。シートベルトを締めてください。」という表示がなされる。運転者等はこれを見てシートベルトを締める。そして、「ＹＥＳ」ボタンをクリックする。車載機３は、運転禁止状態が是正されたか判断する（ステップＳ１１９）。もし、是正されていない場合には、ステップＳ１２１に移行する。すなわち、図４２に示されたように「問題が是正されませんでした。運転できません。」といった表示がなされる。
【００９３】
もしステップＳ１１５で運転者等の情報が運転禁止状態ではないと判断され、またステップＳ１１９で禁止状態が是正されたと判断された場合には、運行禁止状態を解除するように自動車３００を制御する（ステップＳ１２３）。そして、ＩＣカード３５０からのデータに基づき、現在の運転者を車載機ＨＤＤ３１に登録する（ステップＳ１２５）。
【００９４】
以上のような処理を実施することにより、新規自動車購入、法令違反、他車運転、車両入替に対応して各所に手続きを行うことができるようになる。また、運転者等の状態が法令違反である場合にも運行を禁止して、法令違反状態を是正するように要求し、問題が生じないようにすることもできるようになる。
【００９５】
以上本発明の一実施の形態を説明したが、本発明はこれに限定されるものではない。特に画面表示例を多数示したが、これらは一例であって他の画面構成であってもよい。特に１画面として示した画面であっても複数の画面に分割して表示させるようにしてもよい。特に、車載機３の表示装置は通常のコンピュータより表示エリアが小さい場合が多いので、複数の画面に分割して提示する場合もある。
【００９６】
また、ディーラ・コンピュータ１３について特別に説明しなかったが、新規購入の場合にはディーラ・コンピュータ１３が自動車３００の車載機３に代わって例えば図３及び図５の処理を実施するようにしても良い。
【００９７】
また図１において各サーバ又はコンピュータは１台で構成される例を示したが、複数台のコンピュータにより構成される場合もある。また、電子政府サーバ９やメーカ・サーバ７、ディーラ・コンピュータ１３が関連しないような構成とすることも可能である。
【００９８】
また車載機３の記憶装置としてはＨＤＤを用いる例を示したが、これに限定されるものではなく、例えば半導体メモリを用いる場合もあれば、ＤＶＤ−ＲＡＭ、ＤＶＤ−ＲＷ、ＤＶＤ＋ＲＷ等の記録ディスクを用いるようにしても良い。
【００９９】
保険会社サーバ５はＷｅｂサーバ機能を有していることを前提に説明したが、特別なインターフェースにて車載機３と通信を行うようにしても良い。
【０１００】
【発明の効果】
以上説明したように本発明によれば、運行する自動車に対して適切な保険契約を行うことができるようになる。
【０１０１】
また、保険契約に問題があったり法令違反があったりする場合にそれらの問題を解消することができるようになる。
【０１０２】
さらに、自動車運行における法令違反や保険契約などの問題の発生を未然に防止することができるようになる。
【図面の簡単な説明】
【図１】本発明の一実施の形態におけるシステム概要図である。
【図２】本発明の一実施の形態におけるメイン処理フロー（その１）を示す図である。
【図３】本発明の一実施の形態における初期手続き処理フロー（その１）を示す図である。
【図４】初期手続き処理における第１の画面表示例を示す図である。
【図５】本発明の一実施の形態における初期手続き処理フロー（その２）を示す図である。
【図６】初期手続き処理における第２の画面表示例を示す図である。
【図７】初期手続き処理における第３の画面表示例を示す図である。
【図８】初期手続き処理における第４の画面表示例を示す図である。
【図９】家族等の登録処理における第１の画面表示例を示す図である。
【図１０】家族等の登録処理の処理フローを示す図である。
【図１１】家族等の登録処理における第２の画面表示例を示す図である。
【図１２】家族等の登録処理における第３の画面表示例を示す図である。
【図１３】家族等の登録処理における第４の画面表示例を示す図である。
【図１４】要警告事項が存在する場合に表示される第１の画面例を示す図である。
【図１５】要警告事項が存在する場合の処理フロー（その１）を示す図である。
【図１６】要警告事項が存在する場合に表示される第２の画面例を示す図である。
【図１７】要警告事項が存在する場合に表示される第３の画面例を示す図である。
【図１８】要警告事項が存在する場合の処理フロー（その２）を示す図である。
【図１９】本発明の一実施の形態におけるメイン処理フロー（その２）を示す図である。
【図２０】法令違反を検出した場合に表示される画面例を示す図である。
【図２１】車両入替のための処理フロー（その１）を示す図である。
【図２２】車両入替において表示される第１の画面例を示す図である。
【図２３】車両入替において表示される第２の画面例を示す図である。
【図２４】車両入替において表示される第３の画面例を示す図である。
【図２５】車両入替において表示される第４の画面例を示す図である。
【図２６】車両入替のための処理フロー（その２）を示す図である。
【図２７】車両入替において表示される第５の画面例を示す図である。
【図２８】車両入替において表示される第６の画面例を示す図である。
【図２９】車両入替のための処理フロー（その３）を示す図である。
【図３０】車両入替において表示される第７の画面例を示す図である。
【図３１】他車運転のための処理フロー（その１）を示す図である。
【図３２】他車運転のための処理において表示される第１の画面例を示す図である。
【図３３】他車運転のための処理において表示される第２の画面例を示す図である。
【図３４】他車運転のための処理フロー（その２）を示す図である。
【図３５】他車運転のための処理において表示される第３の画面例を示す図である。
【図３６】他車運転のための処理において表示される第４の画面例を示す図である。
【図３７】他車運転のための処理フロー（その３）を示す図である。
【図３８】他車運転のための処理において表示される第５の画面例を示す図である。
【図３９】他車運転のための処理フロー（その４）を示す図である。
【図４０】他車運転のための処理において表示される第６の画面例を示す図である。
【図４１】運転者等の状態が運転禁止状態である場合に表示される画面例を示す図である。
【図４２】警告に対して是正措置が採られなかった場合に表示される画面例を示す図である。
【符号の説明】
１　ネットワーク　　３　車載機　　５　保険会社サーバ
７　メーカ・サーバ　　９　電子政府サーバ
１１　レンタカー会社サーバ　　１３　ディーラ・コンピュータ
３１　車載機ＨＤＤ　　３３　ＩＣカード・リーダライタ
３００　自動車　　３５０　ＩＣカード
【図１】
2004038278.tif 000003
【図２】
2004038278.tif 000004
【図３】
2004038278.tif 000005
【図４】
2004038278.tif 000006
【図５】
2004038278.tif 000007
【図６】
2004038278.tif 000008
【図７】
2004038278.tif 000009
【図８】
2004038278.tif 000010
【図９】
2004038278.tif 000011
【図１０】
2004038278.tif 000012
【図１１】
2004038278.tif 000013
【図１２】
2004038278.tif 000014
【図１３】
2004038278.tif 000015
【図１４】
2004038278.tif 000016
【図１５】
2004038278.tif 000017
【図１６】
2004038278.tif 000018
【図１７】
2004038278.tif 000019
【図１８】
2004038278.tif 000020
【図１９】
2004038278.tif 000021
【図２０】
2004038278.tif 000022
【図２１】
2004038278.tif 000023
【図２２】
2004038278.tif 000024
【図２３】
2004038278.tif 000025
【図２４】
2004038278.tif 000026
【図２５】
2004038278.tif 000027
【図２６】
2004038278.tif 000028
【図２７】
2004038278.tif 000029
【図２８】
2004038278.tif 000030
【図２９】
2004038278.tif 000031
【図３０】
2004038278.tif 000032
【図３１】
2004038278.tif 000033
【図３２】
2004038278.tif 000034
【図３３】
2004038278.tif 000035
【図３４】
2004038278.tif 000036
【図３５】
2004038278.tif 000037
【図３６】
2004038278.tif 000038
【図３７】
2004038278.tif 000039
【図３８】
2004038278.tif 000040
【図３９】
2004038278.tif 000041
【図４０】
2004038278.tif 000042
【図４１】
2004038278.tif 000043
【図４２】
2004038278.tif 000044